(57)【要約】本発明は、記憶媒体の一部に記録された順次走査フレーム構造を有する選択されたビデオセグメントの再生速度を変更するシステムと方法を有する。選択されたビデオセグメントは、変更された再生速度について修正され、そして、修正されたビデオセグメントは、媒体の部分に排他的に記録される。修正されたビデオセグメントに含まれるデータの量を減少させるために、選択されたビデオセグメントの複数の非−ビデオパックが削除される。代わりに、修正されたビデオセグメントの少なくとも１つのフレームの解像度が減少されうる。ビデオセグメントは、イントラ及び非−イントラフレームを含むことができそして、少なくとも１つの画像を追加することにより修正されうる。代わりに、ビデオセグメントは、少なくとも１つの画像を削除することにより修正されうる。ビデオセグメントは、より滑らかなトリックモード及び再生の性能のために再符号化もされることも可能である。
2005505156.tif 000002
【特許請求の範囲】
【請求項１】
リライタブル記憶媒体において、前記記憶媒体の一部に記録された順次走査フレーム構造を有する選択されたビデオセグメントの再生速度を変更する方法であって、
変更された再生速度について、前記選択されたビデオセグメントを修正するステップと、
前記修正されたビデオセグメントを、前記媒体の前記一部に排他的に記録するステップを有する、再生速度を変更する方法。
【請求項２】
前記修正されたビデオセグメントに含まれるデータの量を減少させる、前記選択されたビデオセグメントの複数の非−ビデオパックを削除するステップを、更に有する、請求項１に記載の方法。
【請求項３】
前記修正されたビデオセグメントに含まれる少なくとも１つのフレームの解像度を減少させるステップを、更に有する、請求項１に記載の方法。
【請求項４】
前記記録ステップ中に、前記修正されたビデオセグメントのビットレートを低下させるステップを、更に有する、請求項１に記載の方法。
【請求項５】
前記ビデオセグメントは、イントラ及び非−イントラフレームより構成され、そして、前記修正は、各前記イントラフレームを復号する及び少なくとも１つの前記非−イントラフレームを選択的に復号するステップを含む、請求項１に記載の方法。
【請求項６】
前記選択されたビデオセグメントへ、ダミー画像と繰返し画像より構成される少なくとも１つのグループを挿入するステップを、更に有する、請求項５に記載の方法。
【請求項７】
前記選択されたビデオセグメントへ挿入される前記ダミー画像と前記繰返し画像の数は、前記変更された再生速度に基づいている、請求項６に記載の方法。
【請求項８】
前記ダミー画像、前記繰返し画像及び、前記イントラ及び非−イントラフレームの従来の配置について、前記修正されたビデオセグメントを選択的に復号し且つ再符号化するステップを、更に有する、請求項７に記載の方法。
【請求項９】
前記ビデオセグメントは、イントラ及び非−イントラフレームより構成され、そして、前記修正は、全ての前記イントラ及び前記非−イントラフレームを復号するステップを有する、請求項１に記載の方法。
【請求項１０】
ダミー画像と繰返し画像より構成される少なくとも１つのグループを、前記選択されたビデオセグメントに挿入するステップを、更に有する、請求項９に記載の方法。
【請求項１１】
前記選択されたビデオセグメントへ挿入される前記ダミー画像と前記繰返し画像の数は、前記変更された再生速度に基づいている、請求項１０に記載の方法。
【請求項１２】
前記ビデオセグメントは、イントラ及び非−イントラフレームより構成され、そして、前記修正は、前記イントラ及び非−イントラフレームより構成されるグループから少なくとも１つのフレームを取り除くステップを有する、請求項１に記載の方法。
【請求項１３】
前記ビデオセグメントは、イントラ及び非−イントラフレームより構成され、そして、前記修正は、
前記イントラ及び非−イントラフレームを復号するステップと、
前記イントラ及び非−イントラフレームの少なくとも１つから少なくとも１つのフィールドを取り除くステップを有する、請求項１に記載の方法。
【請求項１４】
リライタブル記憶媒体上に記録された順次走査フレーム構造を有する選択されたビデオセグメントの再生速度を変更するシステムであって、
前記リライタブル記憶媒体の一部に記録されたビデオセグメントを選択的に読み出す記憶媒体読み出し回路と、
変更された再生速度について、前記選択されたビデオセグメントを修正するビデオプロセッサと、
前記修正されたビデオセグメントを、前記媒体の前記一部に排他的に記録するビデオレコーダ回路を有する、再生速度を変更するシステム。
【請求項１５】
前記ビデオプロセッサは、前記修正されたビデオセグメントに含まれるデータの量を減少させるために、前記選択されたビデオセグメントの複数の非−ビデオパックを削除する、請求項１４に記載のシステム。
【請求項１６】
前記ビデオプロセッサは、前記修正されたビデオセグメントに含まれる少なくとも１つのフレームの解像度を減少させる、請求項１４に記載のシステム。
【請求項１７】
前記ビデオプロセッサは、前記記録ステップ中に、前記修正されたビデオセグメントのビットレートを低下させる、請求項１４に記載のシステム。
【請求項１８】
前記ビデオセグメントは、イントラ及び非−イントラフレームより構成され、そして、前記ビデオプロセッサは、各前記イントラフレームを復号し及び前記少なくとも１つの前記非−イントラフレームを選択的に復号する、請求項１４に記載のシステム。
【請求項１９】
前記ビデオプロセッサは、前記選択されたビデオセグメントへ、ダミー画像と繰返し画像より構成される少なくとも１つのグループを挿入する、請求項１８に記載のシステム。
【請求項２０】
前記選択されたビデオセグメントへ挿入される前記ダミー画像と前記繰返し画像の数は、前記変更された再生速度に基づいている、請求項１９に記載のシステム。
【請求項２１】
前記ビデオプロセッサは、前記ダミー画像、前記繰返し画像及び、前記イントラ及び非−イントラフレームの従来の配置について、前記修正されたビデオセグメントを選択的に復号し且つ再符号化する、請求項２０に記載のシステム。
【請求項２２】
前記ビデオセグメントは、イントラ及び非−イントラフレームより構成され、そして、前記ビデオプロセッサは、全ての前記イントラ及び前記非−イントラフレームを復号する、請求項１４に記載のシステム。
【請求項２３】
前記ビデオプロセッサは、ダミー画像と繰返し画像より構成される少なくとも１つのグループを、前記選択されたビデオセグメントに挿入する、請求項２２に記載のシステム。
【請求項２４】
前記選択されたビデオセグメントへ挿入される前記ダミー画像と前記繰返し画像の数は、前記変更された再生速度に基づいている、請求項２３に記載のシステム。
【請求項２５】
前記ビデオセグメントは、イントラ及び非−イントラフレームより構成され、そして、前記ビデオプロセッサは、前記イントラ及び非−イントラフレームより構成されるグループから少なくとも１つのフレームを取り除く、請求項１４に記載のシステム。
【請求項２６】
前記ビデオセグメントは、イントラ及び非−イントラフレームより構成され、そして、前記ビデオプロセッサは、
前記イントラ及び非−イントラフレームを復号し、
前記イントラ及び非−イントラフレームの少なくとも１つから少なくとも１つのフィールドを取り除く、請求項１４に記載のシステム。
【発明の詳細な説明】
【０００１】
発明の背景
１．技術分野
本発明の配置は、一般的には、例えば、記録可能なディジタルビデオディスク、ハードドライブ及び光磁気ディスクのような、ディスク媒体上に記録されたプログラムについて進んだ動作の特徴を提供する方法及び装置に関連する。
２．関連技術の説明
後の表示のために、消費者に、ビデオ及び／又はオーディオプログラムを記録することを可能とする、種々の装置が、開発されている。そのような装置は、テープレコーダ、ビデオカセットレコーダ、記録可能なコンパクトディスク及び最も最近には、記録可能なディジタルビデオディスク（ＤＶＤ）を含む。ハードドライブと光磁気ディスクも使用されている。
【０００２】
１回のみ記録でき、そしてその後は本質的にＤＶＤ読み出し専用メモリであるＤＶＤは、頭字語ＤＶＤ−Ｒによって呼ばれる。頭字語ＤＶＤ−Ｒは、一般的には、ライトワンス、又はレコードワンス、技術を参照して使用される。記録され、消去されそして、再記録される；即ち、上書き又は、再書き込みされるＤＶＤについては、幾つかのフォーマットが利用できる。これらは、頭字語ＤＶＤ−ＲＡＭ、ＤＶＤ−ＲＷ及びＤＶＤ＋ＲＷと呼ばれている。この時点までは、同一の工業標準は適用されていない。頭字語ＤＶＤ−ＲＡＭ、ＤＶＤ−ＲＷ及びＤＶＤ＋ＲＷは、一般的には、それぞれの再書き込み技術を参照して使用される。再書き込み可能な（リライタブル）ＤＶＤ技術、装置及び方法へのここでの参照は、一般的には、将来開発されるものと共に、現在使用されている規格の全てを包含する。
【０００３】
一旦、ビデオがディスク上に記録されると、ユーザはビデオが表示される速度を変更したい場合がある。この要求を満たすために、多くの従来のＤＶＤレコーダは、異なる速度でビデオを再生するように設計されている。例えば、これらの装置は、一般的には、早送り又はスローモーション速度で、ビデオを再生できる。これらの再生変化は、一般的には、トリックモードと呼ばれる。典型的には、ＤＶＤレコーダは、ビデオがディスクから読み出された後に、記録されたビデオ内に含まれる１つ又はそれ以上の画像を繰返す又は削除することにより、これらのトリックモードを実行する。例えば、スローモーショントリックモードでは、ＤＶＤレコーダは、ビデオがその標準速度の半分で表示されているような印象を視聴者に与えるために、記録されたビデオの特定の部分からの各画像を繰り返すことができる。早送り再生を発生するために、ＤＶＤレコーダは、再生中にビデオから１つ又はそれ以上の画像を削除できる。
【０００４】
トリックモードは、異なる速度で記録されたビデオをユーザが見ることを可能とするが、そのビデオはその処理によっては恒久的に変更されない。ビデオが後のときに表示される場合には、ユーザは、異なる速度でビデオを見るために他のトリックモードを開始しなけばならない。しかしながら、重要なことには、多くのユーザは、一旦、ビデオがディスク上に記録されると、ビデオを修正することにより、ビデオのある特定の部分の再生速度を恒久的に変更したいと望みうる。そのような処理は、ユーザがトリックモードのコマンドを呼び出すこと無しに再生中に速度変化を許すことができる。不運にも、そのような方法で記録されたビデオを編集することを実行不可能にする、幾つかの大きな障害が存在する。特に、元のビデオにより占められている空間は、スローモーション再生を発生するために繰返されねばならない画像を記憶するのに十分に大きくない。空間的な制限に加えて、ディスク上の画像を繰り返すことは、ビデオの従来の画像構造を妨害し、これは、再生中のビデオの表示品質を劣化しうる。
【０００５】
しかしながら、早送り再生を発生するために記録されたビデオを修正することは、スローモーション再生を妨害する空間的な制限により影響されない。これは、早送り編集は、単に、記録されたビデオから画像を削除するためである。それにも関わらず、早送りビデオを生成することは、スローモーションの修正と同様に、ビデオの従来の画像構造に悪影響を及ぼす。このように、必要なものは、記録されたビデオの再生速度を変更できしかも、そのような記録されたビデオに関連する空間的及び構造的な制限を解決することができる装置である。
【０００６】
発明の概要
リライタブル記憶媒体において、本発明は、記憶媒体の一部に記録された順次走査フレーム構造を有する選択されたビデオセグメントの再生速度を変更する方法を有する。配置では、本発明は、変更された再生速度について、選択されたビデオセグメントを修正するステップと、；修正されたビデオセグメントを、媒体の一部に排他的に記録するステップを有する。本発明は、修正されたビデオセグメントに含まれるデータの量を減少させる、選択されたビデオセグメントの複数の非−ビデオパックを削除するステップも、有することが可能である。更に本発明は、修正されたビデオセグメントに含まれる少なくとも１つのフレームの解像度を減少させるステップも有することが可能である。本発明は、記録ステップ中に、修正されたビデオセグメントのビットレートを低下させるステップも有することが可能である。
【０００７】
上述の本発明の配置では、ビデオセグメントは、イントラ及び非−イントラフレームより構成され、そして、修正は、各イントラフレームを復号する及び少なくとも１つの非−イントラフレームを選択的に復号するステップを含む。本発明は、選択されたビデオセグメントへ、ダミー画像と繰返し画像より構成される少なくとも１つのグループを挿入するステップも有することが可能である。一面では、選択されたビデオセグメントへ挿入されるダミー画像と繰返し画像の数は、変更された再生速度に基づいている。他の配置では、本発明は、ダミー画像、繰返し画像及び、イントラ及び非−イントラフレームの従来の配置について、修正されたビデオセグメントを選択的に復号し且つ再符号化するステップも有することが可能である。
【０００８】
上述の方法の他の配置では、ビデオセグメントは、イントラ及び非−イントラフレームを有し、そして、修正は、全てのイントラ及び非−イントラフレームを復号するステップを有することが可能である。更に加えて、この配置では、本発明は、ダミー画像と繰返し画像より構成される少なくとも１つのグループを、選択されたビデオセグメントに挿入するステップを有することが可能である。他の面では、選択されたビデオセグメントへ挿入されるダミー画像と繰返し画像の数は、変更された再生速度に基づいている。
【０００９】
上述の方法の他の配置では、ビデオセグメントは、イントラ及び非−イントラフレームを有し、そして、修正は、イントラ及び非−イントラフレームより構成されるグループから少なくとも１つのフレームを取り除くステップを有することが可能である。代わりに、ビデオセグメントは、イントラ及び非−イントラフレームを有し、そして、修正は、イントラ及び非−イントラフレームを復号するステップと、；イントラ及び非−イントラフレームの少なくとも１つから少なくとも１つのフィールドを取り除くステップを有することが可能である。
【００１０】
他の配置では、本発明は、リライタブル記憶媒体上に記録された順次走査フレーム構造を有する選択されたビデオセグメントの再生速度を変更するシステムを有する。上述のシステムは、リライタブル記憶媒体の一部に記録されたビデオセグメントを選択的に読み出す記憶媒体読み出し回路と、；変更された再生速度について、選択されたビデオセグメントを修正するビデオプロセッサと、；修正されたビデオセグメントを、媒体の部分に排他的に記録するビデオレコーダ回路を有する。一面では、ビデオプロセッサは、修正されたビデオセグメントに含まれるデータの量を減少させるために、選択されたビデオセグメントの複数の非−ビデオパックを削除することが可能である。更に、ビデオプロセッサは、修正されたビデオセグメントに含まれる少なくとも１つのフレームの解像度を減少させることが可能であり、そして、記録ステップ中に、修正されたビデオセグメントのビットレートを低下させることが可能である。
【００１１】
上述のシステムの1つの配置では、ビデオセグメントは、イントラ及び非−イントラフレームを有し、そして、ビデオプロセッサは、各イントラフレームを復号し及び少なくとも１つ非−イントラフレームを選択的に復号することが可能である。更に、ビデオプロセッサは、選択されたビデオセグメントへ、ダミー画像と繰返し画像より構成される少なくとも１つのグループを挿入することが可能である。更に、選択されたビデオセグメントへ挿入されるダミー画像と繰返し画像の数は、変更された再生速度に基づいていることが可能である。更に、ビデオプロセッサは、ダミー画像、繰返し画像及び、イントラ及び非−イントラフレームの従来の配置について、修正されたビデオセグメントを選択的に復号し且つ再符号化することが可能である。
【００１２】
上述のシステムの他の配置では、ビデオセグメントは、イントラ及び非−イントラフレームを有し、そして、ビデオプロセッサは、全てのイントラ及び非−イントラフレームを復号することが可能である。更に、ビデオプロセッサは、ダミー画像と繰返し画像より構成される少なくとも１つのグループを、選択されたビデオセグメントに挿入することが可能である。この特定の配置では、選択されたビデオセグメントへ挿入されるダミー画像と繰返し画像の数は、変更された再生速度に基づいていることが可能である。
【００１３】
上述のシステムの他の例では、ビデオセグメントは、イントラ及び非−イントラフレームを有し、そして、ビデオプロセッサは、イントラ及び非−イントラフレームより構成されるグループから少なくとも１つのフレームを取り除くことが可能である。代わりに、ビデオプロセッサは、：イントラ及び非−イントラフレームを復号し、；イントラ及び非−イントラフレームの少なくとも１つから少なくとも１つのフィールドを取り除くことが可能である。
【００１４】
好ましい実施例の詳細な説明
記録可能な（レコーダブル）ＤＶＤ装置
本発明の配置に従って、種々の進んだ動作の特徴を実行する装置１００は、図１にブロック図の形式でされている。再書き込み可能な（リライタブル）ディスク媒体は、示された実施例でリライタブルＤＶＤとして具体化されている。多くの場合には、注意されるように、リライタブルディスク媒体は、例えば、ハードドライブ又は、光磁気ディスク（ＭＯＤ）でもよい、ＭＯＤの例は、ミニディスクである。更に、本発明は、ディジタルテープ機でも使用できる。実際は、本発明は、どのような他の適する記憶媒体装置でも使用できる。
【００１５】
装置１００は、この例ではリライタブルＤＶＤ１０２の、ディスク媒体に書き込みそしてそれから読み出すことができる。以下の説明は主にリライタブルＤＶＤに関するが，本発明は、それに限定されない。前述のように、本発明は、他の適する記憶媒体と共に使用されることが可能である。装置は、機械組立体１０４、制御部１２０、ビデオ／オーディオ入力処理経路１４０及びビデオ／オーディオ出力処理経路１７０を有する。異なる部分又は経路への大部分のブロックの配置は、自明であり、ところが、幾つかのブロックの配置は、便利の目的でなされそして、この装置の動作を理解するのに重要でない。
【００１６】
機械組立体１０４は、ディスク１０２を回転させるモータ１０６とディスク１０２が回転するにつれてディスク１０２上をわたり移動するように適応されるピックアップ組立体１０８を有する。ピックアップ組立体１０８のレーザは、ディスク１０２上のらせんトラック上へスポットを焼くことができ、そして、ビデオ及び／又はオーディオプログラム素材を記録し且つ再生するためにトラック上に既に焼き付けられたスポットに光を当てることができる。本発明を理解する目的で、ディスク１０２が１つ又は２つの面で記録できるかどうか、又は、両面記録の場合には、両面記録又は、後続のディスク１０２からの読み出しが、ディスク１０２の同じ面から又は両面から発生するかどうかは、無関係である。ピックアップ組立体１０８とモータ１０６は、サーボ１１０により制御される。サーボ１１０は、第１の入力として、ディスク１０２のらせんトラックから読み出されたデータの再生信号も受信できる。再生信号は、誤り訂正回路１３０への入力でもあり、これは、制御部の一部又は、ビデオ／オーディオ出力処理経路１７０の一部と考えられる。
【００１７】
制御部１２０は、制御中央処理ユニット（ＣＰＵ）１２２及びナビゲーションデータ発生回路１２６を有する。制御ＣＰＵ１２２は、ナビゲーションデータ発生回路１２６への第１の入力信号を供給でき、そして、サーボ１１０は、ナビゲーションデータ発生回路１２６への第２の入力信号を供給できる。サーボ１１０は、制御部１２０の一部であるとも考えられる。ナビゲーションデータ発生回路１２６は、マルチプレクサ（ＭＵＸ）１５４への第１の入力信号を供給でき、これは、ビデオ／オーディオ入力処理経路１４０の一部を構成できる。
【００１８】
ＭＵＸ１５４の出力は、誤り訂正符号化回路１２８への入力である。誤り訂正符号化回路１２８の出力は、ピックアップ１０８へ供給される記録可能な入力信号であり、これは、レーザによりディスク１０２のらせんトラック上に”焼き付け”られる。
【００１９】
更に加えて、制御及びデータインターフェースも、ＣＰＵ１２２が、ビデオ符号化器１４４、ビデオ復号器１７８及びオーディオ復号器１８２の動作を制御することを可能とするために設けられている。適するソフトウェア又はファームウェアは、制御ＣＰＵ１２２により実行される従来の動作のために、メモリ内に設けられている。更に、記録されたビデオの特徴を編集するプログラムルーチン１３４が、本発明の配置に従って、制御するＣＰＵ１２２に設けられている。
【００２０】
視聴者の活性化可能な機能のための制御バッファ１３２は、現在利用できる機能、即ち、再生、記録、逆転、早送り、スロー再生、ジャンプ、ポーズ／再生及び停止を示す。更に、編集バッファ１３６は、記録されたビデオ編集特徴を実行するためのコマンドを受信するために設けられる。
【００２１】
出力処理経路１７０は、誤り訂正ブロック１３０、トラックバッファ１７２、条件アクセス回路１７４及びデマルチプレクサ１７６を有する。トラックバッファ１７２は、ディスク１０２から読み出したデータを更に処理するために読出し且つ一時的に記憶することができる。このデータは、デマルチプレクサ１７６を介して且つビデオとオーディオ処理のそれぞれの経路へのデータの伝搬を制御できる、条件アクセス回路１７４により処理される。更に、出力処理経路１７０は、パケットビデオ符号化器１７８、ＴＶエンコーダ１８０、オーディオ復号器１８２及びオーディオＤ／Ａ１８４を有することができる。
【００２２】
ビデオ／オーディオ入力処理経路１４０は、従来のテレビジョン信号を、装置１００によりディジタル記録するためにディジタル化されたパケットデータに変換する信号処理回路である。入力処理経路１４０は、ＴＶデコーダ１４２とパケットビデオ符号化器１４４を有する。更に、入力処理経路１４０は、オーディオＡ／Ｄ１４６とオーディオ符号化器１４８を有する。通常動作中は、ディジタル化された信号は、マルチプレクサ１５０で結合され、そして、全体のパケットが構成されるまで記録バッファ１５２内に記憶される。オーディオ及びビデオデータパケットのグループが形成されるにつれて、それらは、ナビゲーションデータ発生ブロック１２６で発生される適切なナビゲーションパケットとマルチプレクサ１５４で結合される。パケットは、誤り訂正符号化回路１２８に送られる。誤り訂正符号化回路１２８は、入力処理経路１４０の一部であるとも考えられる。
【００２３】
ユーザが、ディスク１０２上に記録された部分を編集したい場合には、編集バッファ１３６が制御ＣＰＵ１２２に信号を送ることができる。１つの配置では、制御ＣＰＵ１２２は、パケットビデオ符号化器１７８に、ビデオに含まれる画像を復号しそして、復号された画像を含むビデオをパケットビデオ符号化器１４４へ送るように信号を送る。後に説明するように、代わりの配置では、選択された数のみのこれらの画像が、編集処理中に復号される必要がある。いずれの配置でも、画像に関連するオーディオは、オーディオ復号器１８２に転送される。制御ＣＰＵ１２２は、そして、オーディオ復号器１８２に、一時的にオーディオを記憶するように命令する。更なる空間を生成するために、しかしながら、オーディオは一般的には、編集処理中にビデオと再結合されない。むしろオーディオは、典型的には、オーディオ復号器１８２の記憶バッファがオーバーフローするときには、失われる。逆に、一旦、編集処理が完了すると、オーディオ復号器１８２記憶バッファ内に残る編集されたビデオに関連するどのオーディオも、再生されるべきオーディオで上書きされる。オーディオ成分を取り除くのに加えて、修正されたビデオに関連するサブピクチャ情報が分離されそして修正されたビデオと再統合されることが防止される。
【００２４】
一旦、パケットビデオ符号化器１４４で、復号された画像を含むビデオ信号が受信されると、ビデオ符号化器１４４は、画像を加え又は削除することによりビデオ信号を修正できる。以下に詳細に説明するように、ビデオ信号に画像を加えることは、スローモーションビデオを生成できそして、ビデオから画像を削除することは早送りビデオを生成できる。ビデオ符号化器１４４は、修正されたビデオがディスク１０２上に配置されることができるように、これらの画像を再符号化する。
【００２５】
編集されたビデオ信号内の画像が再符号化された後に、オーディオは典型的には修正されたビデオ信号と結合されないので、ビデオ信号は、単にマルチプレクサ１５０を通して伝播する。そして、編集されたビデオは、通常のビデオの処理と同様な方法で処理される。即ち、修正されたビデオ信号は、マルチプレクサ１５４内でナビゲーションデータと結合され、そして、誤り訂正符号化回路１２８により誤り訂正される。後に説明するように、編集されたビデオ信号は、その元の空間に、ディスク１０２上に記録して戻される。
【００２６】
特に、本発明は、ハードウェア、ソフトウェア又は、ハードウェアとソフトウェアの組合せで実現できる。本発明に従った機械読出し可能な記憶装置は、例えば、制御ＣＰＵ１２２のような、１つのコンピュータシステムの集中的な方法で、又は、異なる構成要素が幾つかの相互に接続されたコンピュータシステムをわたり拡散されている、分散された方法で、実現されうる。どのような種類のコンピュータシステム又はここに記載の方法を実行するように適合された他の装置も受け入れられる。
【００２７】
特に、ここに記載された本発明は、図１の制御ＣＰＵ１２２を意図するが、ハードウェアとソフトウェアの典型的な組合せは、ロードされ且つ実行されたときに、ここに記載の方法を実行するように、図１の制御部１２０と同様なコンピュータシステム及びＤＶＤ記録システムを制御する、コンピュータプログラムを有する汎用コンピュータシステムでもよい。本発明は、ここに記載の方法の実行を可能とするそして、コンピュータシステムにロードされたときにこれらの方法を実行することができる、全ての特徴を有するコンピュータプログラム製品に埋め込まれることも可能である。
【００２８】
本情況のコンピュータプログラムは、直接的に又は、以下のいずれか又は両方：（ａ）他の言語、コード又は表記への変換；及び（ｂ）異なる素材形式での再生、の後のいずれかに、情報処理能力を有するシステムに、特定の機能を実行することを発生することが意図された命令の組のどのような言語、コード又は表記、のどのような表現も意味しうる。ここに開示された本発明は、上述の制御ＣＰＵ１２２と互換性のあるオぺレーティングシステムに対する商業的に利用できる開発ツールを使用して、プログラマにより実装されうるコンピュータプログラム内に埋め込まれた方法でもよい。
【００２９】
ＤＶＤ媒体
本発明の配置を説明するために、プログラム素材はリライタブルＤＶＤ上に記録されそして、リライタブルＤＶＤから再生される。図２に示されたリライタブルＤＶＤ１０は、装置１００でディスク１０２として使用するのに適している。ディスク１０は、平坦な、丸いプラスチックの板状の部材１２により形成されている。リライタブルＤＶＤは、１．２ｍｍ厚ディスクを形成する接着層により共に張り合わされた２つの基板より構成される。中心穴１４は、ディスク内に形成されそれにより、図１のモータ１０６のグリップ装置が、安全にディスクをつかみそして、本発明の配置に従って、同じものの角度の動きを制御することができる。
【００３０】
トラック上の記録の方向は、典型的には、らせんの小半径の部分かららせんの大半径の部分へ、らせんトラック１６に沿って外側に向かう。幾つかの連続する大きなドット（・・・）は、図には示されていないトラックの部分を示す。この結果、らせんトラックの先頭は、穴１４の近くであると考えられ、そして、四角１８により示されている。らせんトラックの最後は、縁の近くであると考えられダイアモンド２０により示されている。当業者は、一般的には、示されたようにらせんの開始と最後を定義することを受け入れる。トラックは、媒体形式インデックシングを収容するために、図には示されていない、サイド−ツー−サイドウォブルも有することができる。スケールの困難さのために、トラック１６の一部のみが示されそして、これらは、大きく拡大されて示されている。
【００３１】
らせんの各ほぼ円の、半径的に同心の部分は、トラックとも呼ばれるが、しかし、この用語は、特定の意味を有するとして一般的に受け入れられていない。ＣＤ−ＲＯＭでは、例えば、用語トラックは、単一のオーディオ部分又は、他のセクションを含むらせんトラックの一部を指すのにも使用され、そして、ＤＶＤについても、同じことが一般的となり又はならない場合もある。
【００３２】
ＤＶＤデータ構造
図３に示されたように、各ＤＶＤは、ビデオマネージャ２６とビデオタイトルセット（ＶＴＳ）２８を有する。ＶＴＳは、ビデオタイトルセット情報（ＶＴＳＩ）２７、メニューについてのオプションのビデオオブジェクトセット２９、実際のタイトルを含む１つ又はそれ以上のタイトルについてのＶＯＢＳ３０及びＶＴＳＩバックアップ３１を有する。各ＶＯＢＳ３０は、複数のビデオオブジェクト（ＶＯＢ）３２より構成される。各ビデオオブジェクト３２は、複数のセル３４を有する。各ＶＯＢＳ３０は、１つ又はそれ以上のセルへのポインタの集合を含む。このように、ＶＯＢＳ３０データは、セル３４を共に連結し、そして、プログラム又はセル３４がどのような順序で再生されるべきかを示す。特定のＶＯＢＳ３０内のセル３４は、任意の望みの順序で再生をするためにフラグが付されうる。例えば、それらは、順次に又はランダムに再生されうる。
【００３３】
各セル３４は、複数のビデオオブジェクトユニット（ＶＯＢＵ）３６を含む。ディスクのビデオコンテンツがあるＶＯＢＵ３６の各々は、典型的には、０．４から１．０秒の表示素材を含む。各ＶＯＢＵは、正確に１つのナビゲーションオパック（ＮＶ＿ＰＣＫ）３８で開始しそして、１つ又はそれ以上のオーディオパック（Ａ＿ＰＣＫ）４０、１つ又はそれ以上のビデオパック（Ｖ＿ＰＣＫ）４１及び１つ又はそれ以上のサブピクチャパック（ＳＰ＿ＰＣＫ）４２を含むことが可能である。更に加えて、各ＶＯＢＵ３６は、公称では、１つのグループオブピクチャ（ＧＯＰ）より構成される。
【００３４】
順次走査フレーム構造フォーマットで記録されたビデオ表示に対する再生速度の変更
本発明の配置に従って、ユーザは、記憶媒体上に既に記録された順次走査フレームビデオの再生速度を変更しうる。ユーザが、スローモーションビデオを発生するために、記録されたビデオを編集することを望む場合には、１つ又はそれ以上の画像がそのような効果を発生するためにビデオに挿入されうる。変更されたビデオは、オリジナルビデオにより前に占められていた同じ空間に、記憶媒体上に記録される。ユーザが早送りビデオを生成したいと望む場合には、記録されたビデオから１つ又はそれ以上の画像が削除される。スローモーション編集処理と同様に、ビデオはオリジナルのビデオの媒体空間に記録されることが可能である。いずれの処理でも、編集されたビデオは、より高い品質の再生とトリックモード動作を発生するために、再符号化されうる。
【００３５】
以下は、発明の配置を説明するのに役立つ、順次走査フォーマットの下で記録された、ＭＰＥＧビデオストリームの典型的なＧＯＰ構造である、
Ｂ０Ｂ１Ｉ２Ｂ３Ｂ４Ｐ５Ｂ６Ｂ７Ｐ８Ｂ９Ｂ１０Ｐ１１Ｂ１２Ｂ１３Ｐ１４
示されたように、ＭＰＥＧビデオは一般的には３つの形式の画像記憶方法：イントラ（Ｉ）フレーム、予測（Ｐ）フレーム及び両方向予測（Ｂ）フレームを使用する。ＰフレームとＢフレームは、一般的に非−イントラ（非−Ｉ）フレームと呼ばれる。Ｉフレームは、たの画面と独立して符号化及び復号される。これは、非−Ｉフレームが構成されるための参照フレームを形成する。特定のＧＯＰに符号化されるのに必要とされる情報の量を減少させるために、各ＧＯＰは通常は１つのみのＩフレームを含む。
【００３６】
Ｐフレームは、最も近い前のＩフレーム又はＰフレームからの差を記述する動きベクトルを含む。Ｉフレームと対照的に、現在のＰフレームと最も近い前のＩフレーム又はＰフレームとの間の差のみが符号化される。Ｂフレームは、最も近い後のＩフレーム又はＰフレームとともに、最も近い前のＩフレーム又はＰフレームからの差を記述する動きベクトルを含む。Ｐフレームと同様に、現在のＢフレームと関連するＩフレーム又はＰフレームの間の差のみが、符号化又は復号される。
【００３７】
ＧＯＰは、１から１８の画面を含むことが可能であるが、典型的なＧＯＰは、１５フレームを含む。更に、各ＩフレームとＰフレームの間に又は、Ｐフレームと他のＰフレームの間に２つのＢフレームを配置することは、改善されたトリックモード性能に加えて、より滑らかな再生を発生する。この結果、特にビデオが適する記憶媒体上に記録して戻される場合には、上述のように再生される従来のＧＯＰ構造に従って、ビデオ信号に各ＧＯＰを有することが望ましい。
【００３８】
しかしながら、ここで、本発明は、特定の形式のＧＯＰ構造に限定されないので、本発明の配置を説明するために選択されたＧＯＰ構造は、単に、本発明を実行するのに使用されうるＧＯＰ構造の例であることに、注意すべきである。実際には、本発明は、ＰフレームとＩフレームのみを生成するように設計されたＭＰＥＧ符号化器又は、Ｉフレームのみを発生するように制限された符号化器に、適用可能である。
【００３９】
図４Ａを参照すると、フローチャート４００は、どのようにスローモーション編集が実行されうるかを示す。この配置では、復号されそして続いて符号化される画像の数を制限することが好ましい。図４Ｂから４Ｇは、スローモーション編集処理の例を示す。特に、図４Ｂから４Ｇは、半分の再生速度を発生するためどのように単一の従来のＧＯＰが変更されるかを示すが、；しかしながら、本発明は、ビデオのどの部分も、標準の再生速度より遅いどのような速度でも再生するように変更されうるように、そのようには限定されないことは注意すべきである。
【００４０】
図４Ａのステップ４１０で開始し、装置１００は、記憶媒体からデータを読むことを開始する。ステップ４１２では、図１のデマルチプレクサ１７６は、Ａ＿ＰＣＫ４０及びＳＰ＿ＰＣＫ４２のような、非−ビデオ成分から記録されたビデオ信号のビデオ成分を分離する。ＮＶ＿ＰＣＫ３８は、しかしながら、編集されているビデオ信号に残されうる。非−ビデオ成分は、捨てられうる。図４Ｂはこの処理に続く従来のＧＯＰを示す。
【００４１】
ステップ４１４に示されたようにそして本発明の配置に従って、選択された数の画像のみが復号される必要がある。一実施例では、ビデオ信号内の各Ｉフレームが復号されうる。更に、よりゆっくりした再生を発生するためにビデオ信号に画像を追加することは、新たなＧＯＰを構成する必要を発生するので、１つ又はそれ以上の他の非−Ｉフレームが復号されそれにより、そのような画像をＩフレーム又は、以下に説明するように、ＩフィールドとＰフィールド画像へ再符号化することを可能とする。この手順は、各新たなＧＯＰが、少なくとも１つのＩフレーム又は、少なくとも１つのＩフィールドとＰフィールドの組み合わせを有し、それからＰとＢフレームを発生することを、保証する。
【００４２】
ステップ４１６では、ステップ４１４で復号された画像は、再符号化される。例えば、ステップ４１４で復号されたＩフレームは、Ｉフィールド画像とＰフィールド画像に再符号化されうる。この処理は、図４Ｃに示されている。技術的に知られているように、完全なフレームは２つのフィールド画像を含む。従って、個々のフィールド画像は、完全なフレームよりも少ない情報（約５０％少ない）を有する。各Ｉフレームを２つのＩフィールド画像に再符号化することは、記憶媒体上に記憶されねばならない情報の量を必ずしも減少しないが、；しかしながら、Ｐフィールド画像はＩフィールド画像よりも少ない記憶空間を必要とするので、各ＩフレームをＩフィールド画像とＰフィールド画像に再符号化することは、媒体上に記憶される必要のある情報の量を減少させるのに役立つ。しかしながら、本発明は、Ｉフレームが任意の他の適するフォーマットに再符号化されうることに関して限定されないことに、注意すべきである。
【００４３】
ステップ４１４で符号化された任意の他の画像は、Ｉフレームに又は、好ましくはＩフィールド画像とＰフィールド画像に、再符号化されることが可能である。これは、任意の新たなＧＯＰが、残りのＰフレームとＢフレームを表示するために、必要な参照フレーム又はフィールドを有することを保証する。図４Ｄは、フレームＰ８がフィールド画像Ｉ８Ｐ８に再符号化される、この処理の例を示す。しかしながら、図４Ｄは、他のフレームが復号とそして続く再符号化のために選択されるような、単なる例であることに、注意すべきである。更に、復号されそして再符号化されたＩフレームと同様に、この処理の下での復号に選択された任意のフレームは、ＩフィールドとＰフィールド画像に再符号化されることに限定されず、そのようなフレームは他の好ましいフォーマットに再符号化されることが可能である。
【００４４】
図４Ａのステップ４１８に移ると、ダミー画像が、編集されているビデオに追加されるべきである場合には、パケットビデオ符号化器１４４は、ステップ４２０に示されたように、１つ又はそれ以上のそのような画像をビデオ信号に挿入できる。ダミー画像は、単に特定のＩフレーム又は非−Ｉフレームの繰返しである、ＭＰＥＧ画像である。特に、しかしながら、離散コサイン変換（ＤＣＴ）係数とダミー画像の動きベクトルは、ゼロに設定される。従って、ダミー画像は、媒体上で、非常に少ない記憶空間を必要とする。更に、ダミー画像は、既に圧縮されたフォーマットであり、記憶媒体上に記録される前に再符号化される必要がない。
【００４５】
１つの配置では、ダミー画像は、変更されるビデオ信号の各フレームの前又は後のいずれかに置かれることが可能であるが、；しかしながら、本発明は、ダミー画像がビデオ信号のどこに挿入されるかについて、そのように限定されない。ビデオ信号に挿入されるダミー画像の数は、選択されたスローモーション速度に依存する。例えば、単一のダミー画像は、標準再生速度の半分である再生速度を発生するために、ＩフィールドとＰフィールド画像に再符号化された各Ｉフレームを含む、ビデオ信号の各フレームの前又は後のいずれかに挿入されることが可能である。図４Ｅは、この例を示す。より遅い再生速度は、より多くの数のダミー画像の挿入を必要とする。
【００４６】
本発明は、スローモーション再生を生成するために、編集されているビデオにダミー画像を加えることに限定されない。ステップ４２２に示されているように、スローモーション編集のために１つ又はそれ以上の繰返し画像がビデオ信号に挿入される、代わりの配置が存在する。繰返し画像は、親画像の複製である未圧縮の画像である。
【００４７】
繰返し画像が追加される場合には、１つ又はそれ以上のそのような画像は、ステップ４２４で編集されているビデオに挿入される。同様に、ダミー画像を挿入する処理と同様に、ビデオに追加される繰返し画像の数は、望まれる再生速度により決定され、即ち、より遅い再生速度は、他数の画像が追加されることを必要とする。更に、繰返し画像は、編集されているビデオのどこにも挿入されることが可能である。例えば、図４Ｅは、半分の速度の再生のためにダミー画像を挿入する説明に加えて、半分の速度を発生するために繰返し画像を追加する結果も示す。一旦、繰返し画像が挿入されると、ステップ４２６に示されているように、これらの画像は再符号化される。このように、本発明の配置に従って、１つ又はそれ以上のダミー画像、１つ又はそれ以上の繰返し画像又はそれらの組み合わせが、スローモーション再生を発生するために、編集されているビデオに挿入される。
【００４８】
ダミー及び／又は繰返し画像が、ビデオ信号内に配置された（そして繰返し画像が再符号化された）後に、図４Ａのステップ４２８に示されたように、１つ又はそれ以上の新たなＧＯＰが生成される。これは、編集されているビデオの部分の画像の数が増加し、そして、工業規格はＧＯＰが含むことのできる表示フィールドの数を３６に制限しているためである。これは、ＧＯＰ当り最大で１８フレームに等しい。３６フィールド又は１８フレームまでが元のＧＯＰ又は新たに生成されたＧＯＰのいずれに配置されうるので、各ＧＯＰに等しい数の画像が配置されるのが好ましくそれにより、従来のＧＯＰ構造に従うために、望まれるならば、各ＧＯＰに更なる処理を受けることを可能とする。図４Ｆは、この結果の例を示す。
【００４９】
新たなＧＯＰは、ステップ４３０に示されているように、記憶媒体上に記録されることが可能である。本発明の配置に従って、編集されたビデオは、元のビデオが前に占めていた同じ空間内に配置されることが可能である。これは、ビデオ内に配置されるダミー画像は、符号化された画像情報を有しないので、非常に少ない記憶空間を必要とするためである。更に、符号化された繰返し画像は、それらの親画像と同一又は実質的に同一であるので、典型的には、僅かな量の符号化された情報を含む。更に、記憶空間がこれらの画像を元の空間に入れるために要求されるものは何でも、削除された非ビデオ情報を記憶するのに使用された記憶媒体上の空間から生じる。
【００５０】
１つの配置では、しかしながら、記憶媒体に十分な空間がない場合には、Ｉフレーム又はＩフィールドとＰフィールド画像に再符号化されていないある数の画像が、復号されうる。一旦復号されると、これらの画像は、その解像度を減少するために再符号化されうる。そのような処理は、その画像に要求される記憶空間の量を減少する。代わりの実施例では、ビデオ信号のビットレートは、ビデオが記憶媒体上に配置されながら低下されることが可能である。ビットレートを低下することは、あるビデオデータの損失と画像解像度の対応する減少となり、そのような処理は編集されたビデオを元の記録位置へ適合させることを可能とする。
【００５１】
代わりの実施例では、編集されたビデオを含む１つ又はそれ以上のＧＯＰは、従来のＧＯＰ構造と合わせるために再符号化されうる。新たなＧＯＰを従来のＧＯＰ構造へ再符号化することは、より滑らかな再生と改善されたトリック再生モード性能を生じる。そのようにするために、ＧＯＰ内の幾つかの画像は復号されそして、続いて異なるフォーマットへ再符号化される。例えば、図４Ｆを参照すると、従来のＧＯＰは典型的には２つのＢフレームで開始するので、ＧＯＰ１のＢ０とＢｄは、復号されそして再符号化される必要はない。例を続けると、しかしながら、Ｂ１は、フィールド画像Ｉ１とＰ１に復号されそして再符号化される。これらのフィールド画像は、ＧＯＰ１に対する参照フレームとして働く。この処理は、ＧＯＰ１とＧＯＰ２の構造が、図４Ｇに示された従来の構造と一致するまで続く。しかしながら、前述の説明は、単に例であり、任意の他の適するシーケンスが、編集されたビデオ内の１つ又はそれ以上のＧＯＰを、従来のＧＯＰへ再符号化するために使用されうることに、注意すべきである。
【００５２】
図５Ａは、スローモーション編集が実行される代わりの配置を示すフローチャート５００を示す。図５Ａから５Ｇは、この種の編集の例を示す。フローチャート４００と同様に、データは、ステップ５１０で、記憶媒体から読み出され、そして、非−ビデオ成分がステップ５１２でビデオから取り除かれる。図５Ｂは、編集される前のＧＯＰを示す。この配置では、しかしながら、ステップ５１４に示されたように、全ての画像は、ダミー又は繰返し画像を加える前に復号される。一旦復号されると、１つ又はそれ以上のＩフレームは、ステップ５１６と図５Ｃに示されたように、ＩとＰフィールド画像に再符号化される。ステップ５１６へ続くと、１つ又はそれ以上の非−Ｉフレームは、Ｉフレーム又はＩとＰフィールド画像へ再符号化され、それにより、編集処理により生成された新たなＧＯＰは、各々が参照フレームを有する。図５Ｄは、この処理の例を示す。
【００５３】
一旦選択された画像が再符号化されると、ダミー画像は、ステップ５１８に示されたように、編集されるべきビデオに挿入される画像であってもよく又はそうでなくてもよい。そうでない場合には、望みの再生速度に基づいて、１つ又はそれ以上の繰返し画像が、ステップ５２０で、ビデオに挿入される。図５Ｅは、半分の速度の再生についてのこの処理の例を示す。一旦繰返し画像が挿入されると、ステップ５２２に示されるようにそして図５Ｆに示されたように、新たなＧＯＰが生成される。ステップ５２４で、ＧＯＰは、従来のＧＯＰ構造に合うように再符号化される。図５Ｇはこの処理の例を示す。
【００５４】
図５Ａのステップ５１８に戻ると、ダミー画像が編集ビデオに追加されるべき場合には、ステップ５２８で、１つ又はそれ以上の新たなＧＯＰが、望みの再生速度に基づいて生成されうる。図５Ｈは、この処理の例を示す。示されているように、２つのＧＯＰが半分の速度の再生を発生するために、生成される。より遅い再生速度は、より多くの数のＧＯＰの生成を必要とする。各ＧＯＰは、編集されようとするビデオからの１つ又はそれ以上のフレームを保持する。以下に説明するように、ダミー画像の挿入が従来のＧＯＰ構造を導くことができるように、戦略上フレームを配置することが好ましい。しかしながら、フレームは任意の他の適する順序で配置されることが可能であるので、図５Ｈは、単にこの処理の例であることに、注意すべきである。
【００５５】
一旦ＧＯＰが生成されると、ステップ５３０に示されたように、ビデオ内の元の画像は再符号化される。続いて、ステップ４３２で、１つ又はそれ以上のダミー画像がＧＯＰに追加される。それらは、既に圧縮されているので、ダミー画像は再符号化される必要はない。図５Ｉに示されているように、ＧＯＰの特定の位置に挿入されるダミー画像の形式は、好ましくは、従来のＧＯＰ構造を有するＧＯＰを導く形式である。例えば、従来のＧＯＰは典型的には、ＩとＰフレーム又はＰフレーム間に２つのＢ画像を含むので、ダミーＢｄ画像が、Ｂ４とＰ５の間に挿入される。しかしながら、本発明は、従来のＧＯＰ構造と一致しないものを含む他の適する挿入シーケンスも使用できるので、これに関して限定されないことに、注意すべきである。一旦ダミー画像が追加されると、ステップ５２６で、編集されるビデオは、記憶媒体上に記録されることが可能である。
【００５６】
フローチャート４００に説明されている画像を挿入する手順と同様に、記憶媒体上の元の位置へ編集されたビデオを適合させる十分な空間がない場合には、編集されたビデオ信号内の画像の解像度が減少され得又は、ビットレートが低下されうる。これは、繰返し又はダミー画像を加える処理に適用される。
【００５７】
図６Ａを参照すると、フローチャート６００は、どのように高速動作編集が実行されるかの２つの方法を示す。図６Ｂから６Ｆは、２倍の再生速度を生成するために、２つのＧＯＰに適用されるような、高速動作編集処理の各々の例を示すが、；しかし、本発明は、ビデオのどのような部分も標準の速度よりも速い速度での再生に変更されうるので、そのように限定されないことに、注意すべきである。ステップ６１０では、装置１００は、記憶媒体からデータを読出しを開始する。ステップ６１２で、図１のデマルチプレクサ１７６は、Ａ＿ＰＣＫ４０とＳＰ＿ＰＣＫ４２のような、非−ビデオ成分から記録されたビデオ信号のビデオ成分を分離できる。非−ビデオ成分は、そして、捨てられる。図４Ａと５Ａのスローモーション処理と同様に、ＮＶ＿ＰＣＫ３８は、編集されているビデオ信号に残りうる。図６Ｂは、パケットビデオ符号化器１４４に入力する２つの従来のＧＯＰを示す。
【００５８】
ステップ６１４に示されたように、編集されるビデオが各編集されるＧＯＰを従来のＧＯＰ構造に従わせるために再符号化ステップを受けない場合には、パケットビデオ符号化器１４４は、ビデオ信号からＢフレームを除去することを開始する。この処理は、図６Ａのステップ６１６と図６Ｃに示されている。図６Ｃを参照すると、連続しないようにＢフレームを削除することが望ましい。即ち、一旦Ｂフレームが削除されると、装置１００は、他のＢフレームを削除する前に、（望まれる再生速度に基づいて）１つ又はそれ以上のＢフレームを維持する。非連続的にＢフレームを削除することは、より滑らかな再生とトリックモード性能を発生する。例えば、図６Ｃでは、フレームＢ０とＢ１は、削除されそして、フレームＢ４、Ｂ６及びＢ７が削除される前に、フレームＢ３が維持される。続いて、フレームＢ９が、維持されそして、削除処理が継続する。しかしながら、図６Ｃで示された例は、任意の他の適する削除シーケンスが使用されうるので、本発明を、この特定の削除シーケンスに限定するものではないことに、注意するべきである。
【００５９】
ビデオ信号から削除される画像の全体的な数は、選択された高速動作速度に依存する。例えば、標準の再生の２倍の速さの再生速度を生じるために、各ＧＯＰに含まれる半分の画像が、ビデオ信号から削除される。これは、図６Ｃで達成される結果である。図６Ａのステップ６１８では、ビデオ符号化器１４４は、Ｂフレームの削除は、望ましい早送り再生速度を発生するために十分であったかどうかを決定する。そうでない場合には、ビデオ符号化器１４４は、ステップ６２０に示されたように、ビデオからＰフレームを削除することを開始できる。１つの配置では、削除されるべき最初のＰフレームは、編集されている各ＧＯＰに含まれる最後のＰフレームでもよく、；しかしながら、任意の他のＰフレームが、削除される最初のＰフレームでもよいので、本発明は、そのように限定されない。Ｂフレームの削除の場合のように、Ｐフレームの削除は、連続しない順序でなされるのが好ましい。
【００６０】
一旦適切な数の画像が消去されると、編集されたＧＯＰからの残りの画像は、ステップ６２２に従ってそして図６Ｃに示されているように、編集されたビデオ信号に含まれる１つ又はそれ以上のＧＯＰを満たすように、統合される。これらの画像は、図６Ａのステップ６２４に示されているように、記憶媒体上に記録される。スローモーション編集処理と対照的に、ビデオから１つ又はそれ以上の画像が削除されているので、早送り編集されたビデオは、簡単に、元の記憶媒体の空間に適合することができる。１つの配置では、ダミーデータが、ステップ６２６に示されたように、残りの媒体空間をわたり記録され得る。この処理は、レコーダが、編集されたビデオを受けない媒体の部分上にまだ残る元のビデオの部分を表示することを、防止する。ダミーデータは、便利に、装置１００により無視される。
【００６１】
ステップ６１４に戻ると、編集されるＧＯＰが従来のＧＯＰの構造に合わせるために再符号化されるべきである場合には、画像がビデオ信号から削除されることに関しては無関係であるが、；しかしながら、前述の早送り編集処理と同様に、滑らかな再生を生成するために、連続しない順序でフレームを削除することが好ましい。図６Ｄは、編集される前の２つのＧＯＰを示す。図６Ａに戻ると、ステップ６１５で、ビデオ信号を構成する画像は、パケットビデオ復号器１７８により復号されそして、パケットビデオ符号化器１４４に転送される。パケットビデオ符号化器１４４は、ステップ６１７に示されたように、ビデオから、画像を削除することを開始する。削除された画像の数は、望まれる早送り再生速度に基づく。図６Ｅは、２倍の再生速度を生じるために、２つのＧＯＰに適用される処理を示す。しかしながら、図６Ｅに示された例は、任意の他の適する削除シーケンスが望みの再生速度を生成するのに使用されうるので、本発明を特定の削除シーケンスに限定しないことに、注意すべきである。
【００６２】
図６Ａのステップ６１９では、残りの画像が統合され、そして、これらの画像は、図６Ａの６２１と図６Ｆに示されたように、従来のＧＯＰ構造に合うように再符号化される。しかしながら、図６Ｆに示された例は、任意の他の適する再符号化シーケンスが使用されうるので、本発明を特定の符号化シーケンスに限定しないことに注意すべきである。ステップ６２３で、一旦画像が再符号化されると、画像は、元のビデオにより前に占められていた空間に、記憶媒体上に記録されることが可能である。更に、ダミーデータが、ステップ６２６に示されたように、任意の残りの媒体空間に挿入されうる。
【００６３】
図７Ａは、早送り編集が実行される他の配置を示すフローチャート７００である。図７Ｂから７Ｄは、２倍の速度の再生を生成するための、２つのＧＯＰに適用される特定の高速動作編集処理の例を示すが、；しかし、ビデオの任意の部分が特定のこの配置に従って、標準再生よりも速い速度で再生するように変更されうるので、本発明は、この例に限定されないことに注意すべきである。フローチャート６００と同様に、図７Ａのステップ７１０で、装置１００は、記憶媒体からデータを読み出すことを開始できる。ステップ７１２では、図１のデマルチプレクサ１７６は、非−ビデオ成分から、記録されたビデオ信号のビデオ成分を分離できる。非ビデオ成分は、ナビゲーションデータを除いて、捨てられうる。次に、ビデオ信号を構成する画像は、パケットビデオ復号器１７８により復号され、そして、ステップ７１４に示されたように、ビデオ符号化器１４４に転送される。図７Ｂは、ビデオ符号化器１４４に入力する２つのＧＯＰを示す。
【００６４】
この配置では、しかしながら、幾つかのフィールドは、図７Ａのステップ７１６に示されているように、望みの早送り再生速度に基づいて、ビデオ信号から削除されうる。図７Ｃは、望ましい再生速度が標準再生速度の２倍である場合の処理を示す。示されたように、フィールドは、ビデオ信号を含む各フレームから、削除される。しかしながら、任意の他の再生速度が達成されそして任意の他の適する削除シーケンスが特定の速度を達成するために使用されうるので、図７Ｃは、単に例であることに、注意すべきである。更に、適用されるときには、連続しないようにフィールドを削除することが好ましい。
【００６５】
図７Ａのステップ７１８と図７Ｄに示されたように、残りのフィールドは、統合され、そして、図７Ａのステップ７２０で、これらのフィールドは再符号化される。図６Ａの早送り編集と同様に、フィールドは、従来のＧＯＰの構造と合うように再符号化されうる。このフィールドは、図７Ｄに示されたように、フィールド画像に再符号化される。代わりに、フィールドは、結合されそして、非−順次走査フレームに再符号化されることが可能である。フィールド画像又はフレームは、ステップ７２２に示されたように、元のビデオにより前に占められていた空間に、記憶媒体上に記録されることが可能である。更に、ダミーデータは、ステップ７２４に示されたように、残りの空間に挿入されうる。フィールド画像の任意の組み合わせが、望ましい再生速度を生成するために削除されうるが、図７Ｂから７Ｄに示されたフィールド画像の削除は、改善されたトリックモードの性能とともに、より滑らかな再生を発生する。
【図面の簡単な説明】
【００６６】
【図１】本発明の配置に従って、順次走査フレーム構造フォーマットで記録されたビデオの再生速度を変更することができるリライタブルＤＶＤ装置のブロック図である。
【図２】リライタブルＤＶＤディスクのらせんトラックを示す図である。
【図３】図２のリライタブルＤＶＤディスクのデータ構造を示す図である。
【図４Ａ】スローモーション再生を発生するために、順次走査フレーム構造フォーマットで記録されたビデオ表示の再生速度を変更する動作を示すフローチャートである。
【図４Ｂ】半分の再生速度を発生するために従来のＧＯＰに適用される図４Ａの編集処理を示す図である。
【図４Ｃ】半分の再生速度を発生するために従来のＧＯＰに適用される図４Ａの編集処理を示す図である。
【図４Ｄ】半分の再生速度を発生するために従来のＧＯＰに適用される図４Ａの編集処理を示す図である。
【図４Ｅ】半分の再生速度を発生するために従来のＧＯＰに適用される図４Ａの編集処理を示す図である。
【図４Ｆ】半分の再生速度を発生するために従来のＧＯＰに適用される図４Ａの編集処理を示す図である。
【図４Ｇ】半分の再生速度を発生するために従来のＧＯＰに適用される図４Ａの編集処理を示す図である。
【図５Ａ】スローモーション再生を発生するために、順次走査フレーム構造フォーマットで記録されたビデオ表示の再生速度を変更する代わりの配置を示すフローチャートである。
【図５Ｂ】半分の再生速度を発生するために２つの従来のＧＯＰに適用される図５Ａの編集処理を示す図である。
【図５Ｃ】半分の再生速度を発生するために２つの従来のＧＯＰに適用される図５Ａの編集処理を示す図である。
【図５Ｄ】半分の再生速度を発生するために２つの従来のＧＯＰに適用される図５Ａの編集処理を示す図である。
【図５Ｅ】半分の再生速度を発生するために２つの従来のＧＯＰに適用される図５Ａの編集処理を示す図である。
【図５Ｆ】半分の再生速度を発生するために２つの従来のＧＯＰに適用される図５Ａの編集処理を示す図である。
【図５Ｇ】半分の再生速度を発生するために２つの従来のＧＯＰに適用される図５Ａの編集処理を示す図である。
【図５Ｈ】半分の再生速度を発生するために２つの従来のＧＯＰに適用される図５Ａの編集処理を示す図である。
【図５Ｉ】半分の再生速度を発生するために２つの従来のＧＯＰに適用される図５Ａの編集処理を示す図である。
【図６Ａ】高速動作再生を発生するために、順次走査フレーム構造フォーマットで記録されたビデオ表示の再生速度を変更する処理を示すフローチャートである。
【図６Ｂ】２倍の再生速度を発生するために２つの従来のＧＯＰに適用される図６Ａの編集処理を示す図である。
【図６Ｃ】２倍の再生速度を発生するために２つの従来のＧＯＰに適用される図６Ａの編集処理を示す図である。
【図６Ｄ】２倍の再生速度を発生するために２つの従来のＧＯＰに適用される図６Ａの編集処理を示す図である。
【図６Ｅ】２倍の再生速度を発生するために２つの従来のＧＯＰに適用される図６Ａの編集処理を示す図である。
【図６Ｆ】２倍の再生速度を発生するために２つの従来のＧＯＰに適用される図６Ａの編集処理を示す図である。
【図７Ａ】高速動作再生を発生するために、順次走査フレーム構造フォーマットで記録されたビデオ表示の再生速度を変更する代わりの配置を示すフローチャートである。
【図７Ｂ】２倍の再生速度を発生するために２つの従来のＧＯＰに適用される図７Ａの編集処理を示す図である。
【図７Ｃ】２倍の再生速度を発生するために２つの従来のＧＯＰに適用される図７Ａの編集処理を示す図である。
【図７Ｄ】２倍の再生速度を発生するために２つの従来のＧＯＰに適用される図７Ａの編集処理を示す図である。
【図１】
2005505156.tif 000003
【図３】
2005505156.tif 000004
【図４Ａ】
2005505156.tif 000005
【図５Ａ】
2005505156.tif 000006
【図６Ａ】
2005505156.tif 000007
【図７Ａ】
2005505156.tif 000008
【国際公開パンフレット】
2005505156.tif 000009
2005505156.tif 000010
2005505156.tif 000011
2005505156.tif 000012
2005505156.tif 000013
2005505156.tif 000014
2005505156.tif 000015
2005505156.tif 000016
2005505156.tif 000017
2005505156.tif 000018
2005505156.tif 000019
2005505156.tif 000020
2005505156.tif 000021
2005505156.tif 000022
2005505156.tif 000023
2005505156.tif 000024
2005505156.tif 000025
2005505156.tif 000026
2005505156.tif 000027
2005505156.tif 000028
2005505156.tif 000029
2005505156.tif 000030
2005505156.tif 000031
2005505156.tif 000032
2005505156.tif 000033
2005505156.tif 000034
2005505156.tif 000035
2005505156.tif 000036
2005505156.tif 000037
2005505156.tif 000038
2005505156.tif 000039
2005505156.tif 000040
2005505156.tif 000041
2005505156.tif 000042
2005505156.tif 000043
2005505156.tif 000044
2005505156.tif 000045
【国際公開パンフレット（コレクトバージョン）】
2005505156.tif 000046
2005505156.tif 000047
【国際調査報告】
2005505156.tif 000048
2005505156.tif 000049
2005505156.tif 000050